(57)【要約】【課題】歯車とラックによる噛合いで扉の前後調整を行うものでありながら、蝶番の羽根板を受け具に差し込むだけで簡単に仮保持することができ、しかも必要に応じて羽根板を受け具から引き抜くことのできる蝶番を、簡単な構造で安価に提供する。【解決手段】左右の羽根板２、３が枢軸１を介して連結された蝶番Ａと、扉Ｃに取り付けられた受け具Ｂとからなり、前記受け具Ｂは羽根板２を受け入れる溝部４と、ラック５にかみ合って左右方向に移動する歯車６と、締結ビス７とを備え、前記歯車の軸６ａが常時羽根板２の隣接する面に向かって弾力的に突出され且つ軸部先端面に回動工具が係合する係合部６ｂが設けられており、前記羽根板２は締結ビス７の軸部に側方からスライド可能に挿入する挿入溝９と、歯車６の軸部６ａが着脱自在に弾性嵌合する軸嵌合孔１０が設けられており、更に羽根板２の先端縁には傾斜ガイド面１１が設けられている構造。【選択図】        図１
2004324059.tif 000002
【特許請求の範囲】
【請求項１】
左右の羽根板２、３が枢軸１を介して回動自在に連結された蝶番Ａと、扉Ｃに取り付けられて前記蝶番Ａの一方の羽根板２を支持する受け具Ｂとからなり、前記受け具Ｂは羽根板２を側方から着脱自在に受け入れることができるように左右方向に沿って形成された溝部４と、ラック５にかみ合って左右方向に移動する歯車６と、羽根板２を締結するための締結ビス７とを備え、前記歯車６の軸６ａが常時羽根板２の隣接する面に向かって弾力的に突出するように背面からスプリング８により弾圧され且つ軸部先端面に回動工具が係合する係合部６ｂが設けられており、前記羽根板２は前記締結ビス７の軸部に側方からスライド可能に挿入できるように羽根板先端縁に向かって開口した挿入溝９を備え、且つ羽根板２の中間部には前記歯車６の軸部６ａが着脱自在に弾性嵌合する軸嵌合孔１０が設けられており、更に羽根板２の先端縁には前記歯車６の軸部６ａを押し下げる傾斜ガイド面１１が設けられている蝶番。
【請求項２】
前記歯車６の軸部６ａの先端縁がテーパー状に形成されている請求項１に記載の蝶番。
【発明の詳細な説明】
【０００１】
【発明の属する技術分野】
本発明は、玄関扉や間仕切り扉等の回動扉に使用される蝶番に関するものである。
【０００２】
【従来の技術】
従来、回動扉を取り付けた際に扉の前後方向（蝶番羽根板の巾方向）の微量調整を行うことのできる蝶番として各種のものが提案されており、例えば歯車とラックとの噛合いで調整するようにしたものとして特開昭８ー２８１３０号公報に示すものがある。
【０００３】
【発明が解決しようとする課題】
この従来構造のものは、蝶番の一方の羽根板をブラケット内に分離不可の状態で組み込み、ブラケット内部に装着した歯車を羽根板に形成したラックにかみ合わせてこの歯車を回動することにより扉の前後方向の調整を行うようにしたものである。従って、予めブラケットのみを扉に取り付けておいて、施工時に蝶番の取付片をブラケットに差し込むことができない。即ち、蝶番本体を固定枠の所定位置に予め取り付けておき、この蝶番の取付片に扉をワンタッチで取り付けることができない。
【０００４】
そこで本発明は、歯車とラックによる噛合いで扉の前後調整を行うものでありながら、蝶番の羽根板をワンタッチでブラケット、即ち羽根板受け具に差し込んで仮保持することができ、しかも必要に応じて羽根板を受け具から簡単に取り外すことのできる蝶番を、簡単な構造で安価に提供することを主たる目的とするものである。
【０００５】
【課題を解決するための手段】
上記目的を達成する為に本発明では次のような技術的手段を講じた。即ち、本発明に係る蝶番にあっては、左右の羽根板２、３が枢軸１を介して回動自在に連結された蝶番Ａと、扉Ｃに取り付けられて前記蝶番Ａの一方の羽根板２を支持する受け具Ｂとからなる。前記受け具Ｂは前記羽根板２を側方から着脱自在に受け入れることができるように左右方向に沿って形成された溝部４と、ラック５にかみ合って左右方向に移動する歯車６と、羽根板２を締結するための締結ビス７とを備え、前記歯車６の軸６ａが常時羽根板２の隣接する面に向かって弾力的に突出するように背面からスプリング８により弾圧され且つ軸部先端面に回動工具が係合する係合部６ｂが設けられている。また前記羽根板２は前記締結ビス７の軸部に側方からスライド可能に挿入できるように羽根板先端縁に向かって開口した挿入溝９を備え、且つ羽根板２の中間部には前記歯車６の軸部６ａが着脱自在に弾性嵌合する軸嵌合孔１０が設けられており、更に羽根板２の先端縁には前記歯車６の軸部６ａを押し下げる傾斜ガイド面１１が設けられている構造とした。
【０００６】
前記羽根板２の先端縁に設けられる傾斜ガイド面１１は図に示すように少し突出させて形成するのがよいが、羽根片２の先端を単に傾斜面にカットするようにしてもよい。また、歯車６の軸部６ａの先端縁をテーパー状に形成することにより羽根板２の挿入時に効果的に歯車６を押し下げることができよう。
【０００７】
また蝶番の枢軸１を羽根板２側に固定しておき，この枢軸１を他方の羽根板３の巻筒３ａに着脱自在に挿入できるようにして左右の羽根板２，３が分離可能に形成するのが好ましい。
【０００８】
【発明の実施の形態】
以下本発明にかかる蝶番の詳細を図１ないし図３に示した実施例に基づき説明する。この実施例で示した蝶番は、左右の羽根板２、３が枢軸１を介して回動自在に連結された蝶番Ａと、扉Ｃに取り付けられて前記蝶番Ａの一方の羽根板２を支持する受け具Ｂとからなる。該受け具Ｂは取付孔１２並びに固定ビス１３を介して扉Ｃの端面に固定される。前記蝶番Ａの他方の羽根板３は固定枠（図示外）に取り付けられる。本実施例では、前記蝶番Ａの枢軸１が羽根板２側に固定され，この枢軸１を他方の羽根板３の巻筒３ａに着脱自在に挿入できるようにして左右の羽根板２，３が分離可能に形成されているが、羽根板２，３を分離不可に形成してもよい。
【０００９】
前記受け具Ｂは、羽根板２を側方から着脱自在に受け入れることができるように左右方向に沿って形成された上下の溝部４、４と、受け具５の中間部に形成された凹部１４に収納され且つ該凹部１４の上壁面に形成されたラック５にかみ合って歯車６とを備えている。該歯車６はその先端側の軸６ａが常時羽根板２の隣接する面に向かって弾力的に突出するように背面からスプリング８により弾圧されており、且つ軸部６ａの先端面にドライバー等の回動工具が係合する係合部６ｂが設けられている。また前記歯車６の背面側の軸６ｃが凹部１４の底面に左右方向に沿って形成した長孔１４ａにスライド可能に嵌合している。尚歯車６は図３に示すように、軸６ｃの先端の膨大部６ｄにより凹部１４からの抜け脱が阻止されている。更に、受け具Ｂの羽根板２に隣接する面に羽根板２を締結するための締結ビス７が突出して設けられている。
【００１０】
前記前記羽根板２は、前記締結ビス７の軸部に側方からスライド可能に挿入できるように羽根板先端縁に向かって開口した挿入溝９、９を備え、且つ羽根板２の中間部には前記歯車６の軸部６ａが着脱自在に弾性嵌合する軸嵌合孔１０が設けられている。更に羽根板２の先端縁には前記歯車６の軸部６ａを押し下げる傾斜ガイド面１１が設けられている。
【００１１】
上記の構成において、蝶番Ａを受け具２に取り付けるときは、締結ビス７を少し緩めてた状態で羽根片２を受け具２の溝部４、４に差し込むだけで簡単に取り付けることができる。即ち羽根板２を受け具２の溝部４、４に差し込むと、羽根板２の挿入溝９、９も締結ビス７、７に沿って嵌入する。羽根板２の先端が歯車６の軸部６ａに当接すると傾斜ガイド面１１により軸部６ａがスプリング８に抗して押し下げられ、やがて羽根板２の軸嵌合孔１０に弾性嵌合する。この嵌合時の弾性力により「パチッ」と音がし、又は感触によって正確に嵌合した状態を感知することができる。この状態で扉の前後方向の微調整を必要とするときはドライバー等の回動工具を歯車６の嵌合部６ｂに係合して歯車６を回動させることにより容易に受け具Ｂに対して羽根板２を前後（羽根板巾方向）に移動させて調整することができる。調整後、締結ビス７、７を締め付けて羽根板２を受け具Ｂに固定すればよい。このような構成により蝶番の羽根板２をワンタッチで受け具Ｂに差し込んで仮保持することができる。従って蝶番Ａを固定枠の所定位置に予め取り付けておき、この蝶番の取付片２に、扉Ｃに取り付けた受け具Ｂを差し込むだけで簡単に扉を取り付けることができる。また、必要に応じて、締結ビス７を緩めた後、軸部６ａを押し下げて軸嵌合孔１０から外すことにより、羽根板２を受け具Ｂから簡単に引き抜くことができる。
【００１２】
以上本発明の代表的と思われる実施例について説明したが、本発明は必ずしもこれらの実施例構造のみに限定されるものではない。例えば、羽根板２の先端縁に設けられる傾斜ガイド面１１は、図に示すように少し突出させて形成するのがよいが、羽根片２の先端を単に傾斜面にカットするようにしてもよい。また、歯車６の軸部６ａの先端縁をテーパー状に形成するようにしてもよい。その他本発明では前記の構成要件を備え、かつ前記の目的を達成し、下記の効果を有する限りにおいては適宜に改変して実施することができる。
【００１３】
【発明の効果】
本発明の蝶番は上記のごとく構成したものであるから、歯車とラックによる噛合いで扉の前後調整を確実に行うことができるものでありながら、蝶番の一方の羽根板を受け具に差し込むだけで簡単に蝶番と受け具を連結保持することができ、しかも必要に応じて羽根板を受け具から簡単に取り外すことのできる蝶番を、新規で簡単な構造で安価に提供することができる、といった効果がある。
【図面の簡単な説明】
【図１】本発明に係る蝶番の一実施例を示す分解斜視図。
【図２】上記蝶番の組み付け状態を示す斜視図。
【図３】上記蝶番における受け具の断面図。
【符号の説明】
１  枢軸
２  蝶番の一方の羽根板
３  蝶番の他方の羽根板
４  溝部
５  ラック
６  歯車
６ａ  歯車の軸
６ｂ  嵌合部
７  締結ビス
８  スプリング
９  挿入溝
１０  軸嵌合孔
１１  傾斜ガイド面
Ａ  蝶番
Ｂ  受け具
Ｃ  扉
【図１】
2004324059.tif 000003
【図２】
2004324059.tif 000004
【図３】
2004324059.tif 000005